(57)【要約】動体可変型ファントムにおいて変形前後のファントム内の線量分布を高精度に検出可能な動体可変型ファントムを提供する。放射線照射装置用の動体可変型ファントムであって、変形可能な弾性体と、その弾性体に設けられた放射線量検出部１２と、を有する。例えば、この弾性体は、収縮自在な材料で形成されている。例えば、弾性体は、分解および組立て自在な多層構造に構成されている。例えば、弾性体は、放射線量検出部１２を着脱自在に保持する穴部を有する。また、例えば、放射線量検出部は、線量蓄積型である。例えば、放射線量検出部は、複数のガラス線量計、複数の２次元放射線量検出器、変形可能な弾性体により保持されたゲル状線量計などである。
2016148269.tif 000002
【特許請求の範囲】
【請求項１】
放射線照射装置用の動体可変型ファントムであって、
変形可能な弾性体と、
前記弾性体に設けられた放射線量検出部と、を有することを特徴とする
動体可変型ファントム。
【請求項２】
前記弾性体は、収縮自在な材料で形成されていることを特徴とする請求項１に記載の動体可変型ファントム。
【請求項３】
前記弾性体は、分解および組立て自在な多層構造に構成されていることを特徴とする請求項１または請求項２に記載の動体可変型ファントム。
【請求項４】
前記弾性体は、孔部を有する部材と該孔部に収容自在な部材で構成された入れ子構造となっていることを特徴とする請求項３に記載の動体可変型ファントム。
【請求項５】
前記入れ子構造の弾性体の孔部を有する部材は円筒形状または半球形状に形成されていることを特徴とする請求項４に記載の動体可変型ファントム。
【請求項６】
前記弾性体は、ロール状に巻回自在に構成されていることを特徴とする請求項１または請求項２に記載の動体可変型ファントム。
【請求項７】
前記弾性体は、前記放射線量検出部を着脱自在に保持する穴部を有することを特徴とする請求項１から請求項４のいずれかに記載の動体可変型ファントム。
【請求項８】
前記放射線量検出部は、線量蓄積型であることを有することを特徴とする請求項１から請求項７のいずれかに記載の動体可変型ファントム。
【請求項９】
前記放射線量検出部は、複数のガラス線量計であることを特徴とする請求項１から請求項８のいずれかに記載の動体可変型ファントム。
【請求項１０】
前記弾性体に、前記放射線量検出部として複数の２次元放射線量検出器を設けたことを特徴とする請求項１または請求項２に記載の動体可変型ファントム。
【請求項１１】
前記弾性体は、複数のスリットを有し、
前記２次元放射線量検出器は前記スリットに着脱自在に配置される構造となっていることを特徴とする請求項１０に記載の動体可変型ファントム。
【請求項１２】
変形可能な前記弾性体により保持されたゲル状線量計を有することを特徴とする請求項１または請求項２に記載の動体可変型ファントム。
【請求項１３】
前記弾性体は、ゲル状線量計を内部に収容する構造を有することを特徴とする請求項１２に記載の動体可変型ファントム。
【請求項１４】
前記弾性体はスポンジ状に形成され、ゲル状線量計のポリマーゲルを吸収保持した構造を有することを特徴とする請求項１２に記載の動体可変型ファントム。
【請求項１５】
請求項１から請求項１４のいずれかに記載の動体可変型ファントムを用いた放射線治療計画作成方法であって、
放射線治療の段階に応じて、該動体可変型ファントムの前記弾性体の特性を設定する工程と、
前記動体可変型ファントムを用いて放射線量を検出し、検出結果に基づいて放射線照射位置と放射線照射線量を規定する放射線治療計画を作成する工程と、を有することを特徴とする
放射線治療計画作成方法。
【請求項１６】
請求項１から請求項１４のいずれかに記載の前記動体可変型ファントムを用いて、弾性体の変形前および変形後の該ファントムのＣＴ画像による線量分布の一方に画像変形処理を施し他方に合算して生成した第１の合算線量分布と、前記弾性体の変形前および変形後のファントムに設けられた照射線量検出部による照射線量の検出結果に応じて生成した第２の合算線量分布との誤差を算出するステップと、
前記誤差に基づいて前記画像変形処理に関する変形パラメータを規定するステップと、
をコンピュータに実行させるプログラム。
【発明の詳細な説明】
【技術分野】
【０００１】
本発明は、動体可変型ファントム、放射線治療計画作成方法、プログラムに関する。
【背景技術】
【０００２】
近年、がん患部の位置を正確に把握し、ピンポイントで放射線を照射できる放射線照射装置の開発が進み、健全な身体組織への放射線障害を回避し、高精度ながん治療を行うことが可能となっている。
放射線治療では、放射線治療計画装置により放射線照射位置や照射線量などを規定する放射線治療計画（計画線量分布）を算出し、放射線照射装置がその計画線量分布に基づいて患部へ放射線を照射することが行われている。放射線治療計画装置としては、例えば、特許文献１などに記載されている。【０００３】
また、近年、放射線治療期間中の患者の腫瘍や体形変化に合わせて適宜治療計画を変更する適応放射線治療が普及し始め、放射線治療期間中に再治療計画を行うケースが増加してきている。このように同一患者の各段階の異なるＣＴ画像で計画された放射線治療の計画線量分布を合算する場合、治療計画支援ソフトウェア（プログラム）によって、どちらかＣＴ画像をもう一方のＣＴ画像に合わせるように変形処理することにより、異なるＣＴ画像で計画された線量分布の合算評価を行うことができる。ＣＴ画像などを画像変形処理する技術としては、例えば、特許文献２などに記載されている。
【先行技術文献】
【特許文献】
【０００４】
【特許文献１】特開２０１４−１４０４３１号公報
【特許文献２】特開２０１３−１４６５４０号公報
【特許文献３】特開平０８−１８７２３８号公報
【発明の概要】
【発明が解決しようとする課題】
【０００５】
しかしながら、上述した放射線治療の計画線量分布の合算に必要な変形処理の精度評価を行う方法は知られていなかった。
例えば、特許文献３に示したような、変形しない単純な構造のファントム（人体模型）を用いただけでは、上述の課題を解決することができなかった。【０００６】
本発明は、このような問題に対処することを課題の一例とするものである。すなわち、動体可変型ファントムにおいて、変形前後のファントム内の線量分布を高精度に検出可能な動体可変型ファントムを提供すること、ＣＴ画像に用いられる画像変形処理（ＤＩＲ）を高精度に評価可能な動体可変型ファントムを提供すること、動体可変型ファントムを用いた放射線治療計画作成方法を提供すること、画像変形処理に関する画像変形パラメータを容易に高精度に調整可能なプログラムを提供すること、ＣＴ画像の画像変形処理に依らずに、放射線治療の計画線量分布を高精度に算出すること、などを目的とする。
【課題を解決するための手段】
【０００７】
このような目的を達成するために、本発明による動体可変型ファントムは、以下の構成を少なくとも具備するものである。
放射線照射装置用の動体可変型ファントムであって、
変形可能な弾性体と、前記弾性体に設けられた放射線量検出部と、を有することを特徴とする。【０００８】
また、本発明の放射線治療計画作成方法は、以下の構成を少なくとも具備するものである。
上記本発明の動体可変型ファントムを用いた放射線治療計画作成方法であって、
放射線治療の段階に応じて、該動体可変型ファントムの前記弾性体の特性を設定する工程と、
前記動体可変型ファントムを用いて放射線量を検出し、検出結果に基づいて放射線照射位置と放射線照射線量を規定する放射線治療計画を作成する工程と、を有することを特徴とする【０００９】
また、本発明のプログラムは、以下の構成を少なくとも具備するものである。
コンピュータに実行させるプログラムであって、
上記本発明の動体可変型ファントムを用いて、弾性体の変形前および変形後の該ファントムのＣＴ画像による線量分布の一方に画像変形処理を施し他方に合算して生成した第１の合算線量分布（計算値）と、前記弾性体の変形前および変形後のファントムに設けられた照射線量検出部（放射線量検出部）による照射線量の検出結果に応じて生成した第２の合算線量分布（実測値）との誤差を算出するステップと、
前記誤差に基づいて前記画像変形処理に関する変形パラメータを規定するステップと、を有することを特徴とする。
【発明の効果】
【００１０】
本発明によれば、動体可変型ファントムにおいて、変形前後のファントム内の線量分布を高精度に検出可能な動体可変型ファントムを提供することができる。
また、本発明によれば、ＣＴ画像に用いられる画像変形処理（ＤＩＲ）を高精度に評価可能な動体可変型ファントムを提供することができる。
また、本発明によれば、動体可変型ファントムを用いた放射線治療計画作成方法を提供することができる。
本発明によれば、動体可変型ファントムを用いることにより、ＣＴ画像の画像変形処理に依らずに、放射線治療の計画線量分布を高精度に算出することができる。
また、本発明によれば、画像変形処理に関する画像変形パラメータを容易に高精度に調整可能なプログラムを提供することができる。
【図面の簡単な説明】
【００１１】
【図１】本発明の実施形態に係る動体可変型ファントムを採用した放射線治療システムの一例を示す全体概略図。
【図２】本発明の実施形態に係る動体可変型ファントムの一例を示す図、（ａ）はファントムのピストンが第１の位置の場合（膨らんだ状態）の一例を示す図、（ｂ）はファントムのピストンが第２の位置の場合（収縮した状態）の一例を示す図。
【図３】組立及び分解自在な円柱形状のファントムの一例を示す図。
【図４】図３に示したファントムの一例を示す図、（ａ）は分解図、（ｂ）は線量計収容体の拡大斜視図、（ｃ）は線量計収容体と放射線量検出部と蓋部の一例を示す斜視図。
【図５】組立及び分解自在な球形状のファントムの一例を示す図、（ａ）は全体図、（ｂ）は分解斜視図、（ｃ）は放射線量検出部を収容した線量計収容体の拡大斜視図。
【図６】巻回型のファントムの一例を示す図、（ａ）はそのファントムの全体斜視図、（ｂ）はそのファントムの展開した状態の一例を示す図。
【図７】２次元放射線量検出器（イメージングデバイス）を採用したファントムの一例を示す図、（ａ）は弾性体と２次元放射線量検出器を分離した状態の一例を示す側面断面図、（ｂ）は組立てた状態の一例を示す側面断面図。
【図８】ゲル状体を有するファントムの一例を示す概念図。
【図９】制御部の機能ブロックの一例を示す図。
【図１０】ファントムのＣＴ画像および線量分布の一例を示す図、（ａ）は膨らんだ状態である変形前のファントムのＣＴ画像および線量分布Ｐａ（治療計画）の一例を示す図、（ｂ）は収縮した状態であり変形後のファントムのＣＴ画像および線量分布の一例を示す図。
【図１１】ファントムのＣＴ画像および線量分布の一例を示す図、（ａ）は図１０（ａ）に示した線量分布Ｐａを変形した画像と線量分布の一例を示す図、（ｂ）はファントムのＣＴ画像と合算線量分布の一例を示す図。
【図１２】ファントムの膨らんだ状態と収縮した状態のＣＴ画像の差の一例を示す図。
【図１３】ファントムの膨らんだ状態のＣＴ画像を画像変形処理（ＤＩＲ）により画像変形させた画像（変形処理画像）と、ファントムの収縮した状態のＣＴ画像の差の一例を示す図。
【図１４】放射線治療システムの動作の一例を説明するための図。
【図１５】放射線治療システムの動作の一例を説明するための図。
【図１６】放射線治療システムの動作の一例を説明するための図。
【図１７】放射線治療システムの動作の一例を説明するための図。
【図１８】本発明の一実施形態に係る放射線治療システムのファントムの一例を示す斜視図。
【図１９】図１８に示したファントムの動作の一例を示す図、（ａ）はピストンが第１の位置の場合（膨らんだ状態）の一例を示す図、（ｂ）はピストンが第２の位置の場合（収縮した状態）の一例を示す図。
【図２０】複数の押圧機構を有するファントムの一例を示す図。
【図２１】軸方向および直交方向に複数の押圧機構を有するファントムの一例を示す図。
【発明を実施するための形態】
【００１２】
本発明の実施形態に係る動体可変型ファントムは、放射線照射装置用の動体可変型ファントムであり、変形可能な弾性体と、その弾性体に設けられた放射線量検出部と、を有する。また、本実施形態では、放射線量検出部は、線量蓄積型（Ｘ線エネルギー蓄積型）である。
【００１３】
以下、図面を参照しながら本発明の実施形態を説明する。
本発明の実施形態は図示の内容を含むが、これのみに限定されるものではない。なお、以後の各図の説明で、既に説明した部位と共通する部分は同一符号を付して重複説明を一部分省略する。
【００１４】
図１は本発明の実施形態に係る動体可変型ファントム１０（ファントム）を採用した放射線治療システム１００の一例を示す全体概略図である。
図２はファントム１０の一例を示す図である。詳細には、図２（ａ）はファントム１０のピストン１６が第１の位置の場合（膨らんだ状態）の一例を示す図、図２（ｂ）はファントム１０のピストン１６が第２の位置の場合（収縮した状態）の一例を示す図である。
【００１５】
本実施形態では、放射線治療システム１００は、ファントム１０、ＣＴ装置２０（Computed Tomography装置）、ファントム線量検出装置３０、放射線治療装置４０、制御装置５０（コンピュータ）、などを有する。ＣＴ装置２０や放射線治療装置４０は放射線照射装置に対応する。
【００１６】
＜ＣＴ装置２０＞
ＣＴ装置２０は、例えば、ヘリカルＣＴ（スパイラルＣＴ）やノンヘリカルＣＴ（コンベンショナルＣＴ）などにより患者（被検体）やファントム１０のＣＴ撮影を行う。
本実施形態では、ＣＴ装置２０としてＸ線ＣＴ装置を採用している。ＣＴ装置２０は、ガントリ（回転架台）を備えた筐体部２０ａ、Ｘ線発生部２１（放射線発生部）、Ｘ線検出部２２、回転駆動部２３、回転位置検出部２４、台部２５（寝台）、クレードルとしての天板２６、天板位置検出部２７、天板駆動部２８、などを有する。
【００１７】
円筒形状の筐体部２０ａ内に、Ｘ線発生部２１（放射線発生部）、Ｘ線検出部２２が設けられている。Ｘ線発生部２１は、制御装置５０の制御により、台部２５の天板２６上の被検体やファントム１０に向けてＸ線を照射する。Ｘ線検出部２２はＸ線発生部２１と対向する位置に配置されている。Ｘ線検出部２２は、被検体やファントム１０を介した透過Ｘ線を検出する装置であり、検出したＸ線量に対応した信号を生成し、制御装置５０に出力する。
本実施形態では、Ｘ線発生部２１およびＸ線検出部２２は、筐体部２０ａ内のガントリ（回転架台）に固定されており、制御装置５０の制御により回転駆動部２３でガントリを回転駆動することで、Ｘ線発生部２１およびＸ線検出部２２の相対位置を保った状態で回転可能に構成されている。
回転位置検出部２４は、例えば、ガントリなどに設けられた位置センサ（角度センサ）からの信号に基づいて、Ｘ線発生部２１やＸ線検出部２２の回転位置を検出し、検出信号を制御装置５０に出力する。
【００１８】
寝台としての台部２５上の天板２６は、制御装置５０の制御で天板駆動部２８により移動可能に構成されている。天板位置検出部２７は、位置センサなどを備え、天板２６の位置を検出し、検出信号を制御装置５０に送信する。天板２６上には、被検体やファントム１０が載置される。
【００１９】
＜放射線治療装置４０＞
放射線治療装置４０は、直線加速器（リニアック・ライナック）などの放射線照射装置により発生するＸ線や電子線などの放射線を被検体（患者）の病巣（腫瘍）などに照射して治療を行う。直線加速器を用いた放射線照射装置では、鋭い指向性の放射線を照射可能である。また、放射線治療装置４０は、天板２６上のファントム１０に対してＸ線などの放射線を照射可能である。
また、放射線治療装置４０は、標的領域である放射線照射位置と、その放射線照射位置への放射線照射線量を規定する放射線治療計画に基づいて放射線を照射する。こうすることで、病巣（腫瘍）や模擬病巣に対して高精度に放射線を照射することができ、標的領域以外の部分への照射を低減することができる。
この放射線治療装置４０は、制御装置５０（コンピュータ）により制御される。
尚、放射線治療装置４０として、直線加速器を用いない放射線照射装置を採用してもよいし、陽子線や重粒子線を病巣（腫瘍）へ照射する装置を採用してもよい。
【００２０】
＜制御装置５０＞
制御装置５０（コンピュータ）は、ＣＴ装置２０、放射線治療装置４０、治療計画生成装置、などを統括的に制御する。制御装置５０は、この形態に限られるものではなく、例えば、複数のコンピュータにより構成されてもよい。
詳細には、制御装置５０は、制御部５１、記憶部５２、表示部５３、操作入力部５４、通信部５５、インタフェース５６（Ｉ／Ｆ）、バスなどの通信線５７、などを有する。制御部５１や記憶部５２などの各構成要素は通信線５７により電気的に接続されている。
【００２１】
制御部５１は、制御装置５０の各構成要素を統括的に制御する。また、制御部５１は、放射線治療システム１００の各構成要素を統括的に制御する。
制御部５１は、例えば、記憶部５２に記憶されているプログラムを実行することにより、本発明に係る機能をコンピュータとしての制御装置５０に実現させる。
制御部５１の詳細な機能について後述する。
【００２２】
記憶部５２は、ＲＡＭ、ＲＯＭ、ＨＤＤ、ＳＳＤなどの記憶装置であり、プログラムや各種データを記憶する。制御部５１は、必要に応じて記憶部からプログラムやデータなどを読み出す。また、制御部５１は、必要に応じてデータなどを記憶部５２に記憶する。
表示部５３は、ディスプレイなどの表示装置であり、制御部５１の制御により本発明に係るＣＴ画像などの各種データを表示可能である。
操作入力部５４は、キーボード、マウス、タッチパネルなどの入力装置であり、入力信号を制御部５１に出力する。
通信部５５は、制御部５１の制御により、有線式または無線式の通信路を介して外部のコンピュータなどとデータ通信を行う。
インタフェース５６（Ｉ／Ｆ）には、放射線治療装置４０、ファントム線量検出装置３０、ＣＴ装置２０の所定の構成要素、例えば、Ｘ線発生部２１、Ｘ線検出部２２、回転駆動部２３、回転位置検出部２４、天板位置検出部２７、天板駆動部２８などが電気的に接続されている。
【００２３】
＜ファントム１０＞
ファントム１０は、例えば、ＣＴ装置２０や放射線治療装置４０の各種校正用として使用される試験体である。本実施形態では、ファントム１０は、制御装置５０による画像変形処理（ＤＩＲ：Deformable Image Registration）の精度検証などに用いられる。
【００２４】
このファントム１０は、例えば、患者の部位を模すように、所定のＸ線吸収係数の部分を有する。このファントム１０は、例えば、患者の病巣（病変）を模した部分、正常組織のＸ線吸収係数を模した部分などを有する。本実施形態では、ファントム１０として動体可変型ファントム１０を採用しており、このファントム１０は、患者の呼吸や心臓の動きなどの動体を模すように変形可能に構成されている。
【００２５】
図１、図２に示した例では、肺部を模したファントム１０を採用している。このファントム１０は、ケースとしてのシリンダ１５内に配置された弾性体１１を有し、この弾性体１１をピストン１６により変形自在に構成されている。
ピストン１６に、ピストンロッド１７が接続されている。ピストンロッド１７は、モータなどのピストン駆動部１７５に接続されており、制御装置５０の制御により、ピストン１６を移動可能に構成されている。
本実施形態では、板状部材１２１上に、ファントム１０およびピストンを収容したシリンダ１５（ケース）が配置されている。また、板状部材１２１上に台部１７６を介してピストン駆動部１７５が配置されている。板状部材１２１の端部付近には把持部１２２，１２３が設けられている。このため、板状部材１２１は、ファントム１０やピストン駆動部１７５を載置した板状部材１２１を容易に持ち運び可能に構成されている。
【００２６】
また、ピストンロッド１７に傾斜部材１７１が、ピストンロッド１７と連動して移動可能に設けられている。傾斜部材１７１の上部付近には上下動部材１７２（ステージ）が上下動自在に配置されている。この上下動部材１７２は、その下端部が傾斜部材１７１に当接するように配置されている。このため、上下動部材１７２は、ピストンロッド１７やピストン１６の動きに連動して上下動するように構成されている。
【００２７】
また、本実施形態では、上下動部材１７２の上端部に検出用ボックスを設け、検出用ボックスの位置を、赤外線撮像部や位置センサなどのピストン位置検出部１７３により検出する。つまり、ピストン位置検出部１７３は、上下動部材１７２の上下動の変位により、ピストン１６の変位や位置などを検出し、検出信号を制御装置５０に出力する。
【００２８】
図２に示したファントム１０は、弾性体１１、放射線量検出部１２（照射線量検出部）、バルーン１３、水や気体などの流体１４、ケースとしてのシリンダ１５、ピストン１６、ピストンロッド１７、弾性体保持部１８、蓋部１９などを有する。
【００２９】
弾性体１１は、ピストン１６などの外力により変形自在に構成されている。本実施形態では、弾性体１１は、収縮自在な材料で形成されている。弾性体１１としては、例えば、樹脂材料などの所定の弾性率、所定のＸ線吸収係数の材料で構成されている。また、本実施形態では、弾性体１１としては、スポンジ状の多孔性の樹脂材料を採用している。
【００３０】
また、本発明の実施形態では、弾性体１１に放射線量検出部１２が設けられている。図２に示した例では、線量蓄積型（Ｘ線エネルギー蓄積型）の放射線量検出部１２として、複数の小型のガラス線量計（蛍光ガラス線量計）などを採用し、放射線量検出部１２を弾性体１１の所定位置に容易に着脱自在に配置している。一具体例として、直径１．５ｍｍ、長さ８．５ｍｍの小型のガラス線量計を３０〜５０個程度、弾性体１１の所定位置に所定の間隔で配置している。
【００３１】
詳細には、放射線量検出部１２は、例えば、銀イオンを含有した銀活性リン酸塩ガラス素子などであり、このガラス素子に放射線を照射すると、銀の二価イオンなどによる蛍光中心が形成される。この蛍光中心は、外部からの紫外線照射により励起された後、安定状態に戻るときに蛍光を発光する。この発光量は放射線吸収線量に比例する。蛍光中心はこの測定により消滅せず、何度も繰り返し読み取ることができる。
【００３２】
本実施形態では、図１に示したファントム線量検出装置３０の線量検出部３１が、ファントム１０の所定位置から取り出され、放射線量検出部１２としてのガラス素子に紫外線を照射し、ガラス素子の蛍光中心からの蛍光の発光量を測定し、その測定量に基づいて放射線吸収線量を検出する。
【００３３】
また、本実施形態では、ファントム線量検出装置３０の位置特定部３２は、ファントム１０の線量検出部３１としてのガラス素子の位置を特定し、位置情報を制御装置５０に出力する。放射線量検出部１２の位置情報の特定方法としては、ＣＴ装置２０のＣＴ画像により特定する、弾性体１１の予め規定した位置に放射線量検出部１２を配置する、ファントム１０の放射線量検出部１２の位置を光学的に特定する、などを挙げることができる。
【００３４】
放射線量検出部１２をガラス線量計のガラス素子を採用し、ＣＴ装置２０によりファントム１０内のガラス素子の位置を特定する場合、ガラス線量素子は、ＣＴ画像上でアーチファクト（虚像）を発生しないことから、ガラス線量素子の位置を正確に特定することができる。このため、放射線量検出部１２としてのガラス線量計は、画像変形処理（ＤＩＲ）の精度の検証用として使用することができる。また、放射線量検出部１２としてのガラス線量計は、画像変形処理（ＤＩＲ）の精度と線量分布変形精度の検証用として使用することができる。
【００３５】
ファントム線量検出装置３０による、放射線量検出部１２の放射線吸収線量の検出や位置の特定が行われた後、放射線量検出部１２はファントム１０の弾性体１１の規定された位置に配置される。
【００３６】
図２に示した例では、筒形状のシリンダ１５内に弾性体１１が配置され、弾性体１１の周囲に弾性体からなるバルーン１３が設けられている。シリンダ１５とピストン１６により囲まれた空間には、液体（水など）や気体などの流体１４が配置されている。シリンダ１５は、一具体例として円筒形状に形成されており、直径２５ｃｍ程度である。
【００３７】
シリンダ１５の端部には、蓋部１９が設けられており、蓋部１９を開閉することにより流体１４を供給または排出可能に構成されている。弾性体保持部１８は、弾性体１１に当接し、弾性体１１を保持する。本実施形態では、弾性体保持部１８の当接面は、ピストン１６による弾性体の圧縮によっても確実に弾性体１１を保持するように、湾曲形状に形成されている。また、弾性体保持部１８には、複数の通気孔１８ａが形成されており、ピストン１６の圧縮方向への移動または反対方向への移動により、空気を排気または吸気可能である。
【００３８】
ピストンロッド１７は、一方の端部がシリンダ１５内で移動自在に配置されたピストン１６に接続されており、他方の端部がピストン駆動部に接続されている。
【００３９】
また、ファントム１０の弾性体１１には、疑似病変として所定のＸ線吸収係数の材料で構成された模擬腫瘍１（模擬病巣）が必要に応じて設けられている。また、ファントム１０の弾性体１１には、必要に応じて、複数のアクリル製などの樹脂製の複数の微小球体（ビーズ）を配置してもよい。このビーズの直径は一具体例として約１ｍｍ〜３ｍｍ程度である。この樹脂製のビーズは、所定のＸ線吸収係数率に規定されており、ＣＴ画像上でのランドマークとして機能する。
また、ファントム１０の弾性体１１には、必要に応じてナイロン製などの樹脂製のワイヤを配置してもよい。この樹脂製のワイヤは、所定のＸ線吸収係数に規定されており、ＣＴ画像上で模擬血管として機能する。
【００４０】
図２（ａ）、図２（ｂ）に示した例では、横隔膜を模擬するピストン１６を変位させることにより、呼吸による横隔膜の動きを模擬するようにファントム１０が構成されている。
図２（ａ）に示した略円形状（球形状）の模擬腫瘍１（１ａ）が弾性体１１の変形に伴い、楕円形状（楕円体）に変形した模擬腫瘍１（１ｂ）となっている。
また、弾性体１１の変形に連動して、弾性体１１に配置された放射線量検出部１２や樹脂製の微小球体、ワイヤの位置が移動するように構成されている。
【００４１】
また、ピストン１６は変位量を調整できるように構成されており、具体的には、例えば、±５ｍｍ、±１０ｍｍ、±１５ｍｍ、±２０ｍｍ、±２５ｍｍなど、所定の変位量に設定可能である。
【００４２】
次に、ファントムの一実施例を説明する。
＜円柱形状のファントム＞
図３は組立及び分解自在な円柱形状のファントム１０Ａの一例を示す図である。図４は図３に示したファントムの一例を示す図である。詳細には、図４（ａ）はその分解図、図４（ｂ）は線量計収容体１０Ａｄの拡大斜視図、図４（ｃ）は線量計収容体１０Ａｄとガラス線量計などの放射線量検出部１２と蓋部１０Ａｅの一例を示す斜視図である。
【００４３】
ファントムの弾性体は、分解および組立て自在な多層構造に構成されており、各構成要素に放射線量検出部１２としての線量計を容易に着脱自在に構成されている。
詳細には、図３に示した円柱形状のファントム１０Ａは、弾性体で形成された複数の構成要素、例えば、小径の円柱形状体１０Ａａ、小径の円筒形状体１０Ａｂ、大径の円筒形状体１０Ａｃ、などを有する。
大径の円筒形状体１０Ａｃは、有底または無底の孔部ｈ２を備え、その孔部ｈ２に小径の円筒形状体１０Ａｂを収容可能に構成されている。小径の円筒形状体１０Ａｂは、有底または無底の孔部ｈ１を備え、その孔部ｈ１に小径の円柱形状体１０Ａａを収容可能に構成されている。
この小径の円柱形状体１０Ａａ、小径の円筒形状体１０Ａｂ、大径の円筒形状体１０Ａｃを組み立てることにより、円柱形状のファントム１０Ａとなる。
【００４４】
また、ファントム１０Ａの各構成要素は、ガラス線量計などの放射線量検出部１２を収容する複数の線量計収容体１０Ａｄを着脱自在に保持する複数の穴部を有する。詳細には、図４（ａ）に示したように、大径の円筒形状体１０Ａｃは、所定位置に複数の穴部１０Ａｈを有し、その穴部１０Ａｈに線量計収容体１０Ａｄを収容可能に構成されている。
【００４５】
図４（ｂ）に示した線量計収容体１０Ａｄは、直方体などの所定の形状に形成され、有底または無底の穴部ｈ３を有し、ガラス線量計などの放射線量検出部１２を収容可能に構成され、蓋部１０Ａｅにより蓋をすることができるように構成されている。図４（ｂ）に示した例では、線量計収容体１０Ａｄの略中央部に放射線量検出部１２が配置される。
【００４６】
同様に、小径の円筒形状体１０Ａｂ、小径の円柱形状体１０Ａａは、複数の線量計収容体１０Ａｄを着脱自在に保持する複数の穴部を有し、複数のガラス線量計などの放射線量検出部１２を保持可能に構成されている。
【００４７】
上述したように、円柱形状のファントム１０Ａは、複数のガラス線量計などの放射線量検出部１２を、容易に着脱自在に、３次元的に所定位置に所定間隔で配置可能に構成されている。
【００４８】
尚、上述した線量計収容体１０Ａｄの形状は、直方体であったが、この形態に限られるものではなく、円柱形状、楕円形状など任意の形状であってもよい。
【００４９】
また、ファントム１０Ａは、上述した実施形態に限られるものではない。例えば、ファントム１０Ａの各構成要素に、ガラス線量計などの放射線量検出部１２を直接着脱自在に保持する穴部を設け、その穴部に放射線量検出部１２を配置してもよい。
【００５０】
＜球形状のファントム＞
図５は組立及び分解自在な球形状のファントム１０Ｂの一例を示す図である。詳細には、図５（ａ）は全体図、図５（ｂ）は分解斜視図、図５（ｃ）は放射線量検出部１２を収容した線量計収容体１０Ａｄの拡大斜視図である。
【００５１】
図５（ａ）に示した球形状のファントム１０Ｂは、弾性体で形成された複数の構成要素、例えば、大径の半球形ドーム状体１０Ｂａ、大径の半球形ドーム状体１０Ｂｂ、小径の半球形ドーム状体１０Ｂｃ、小径の半球形ドーム状体１０Ｂｄ、小径の半球形体１０Ｂｅ、小径の半球形体１０Ｂｆ、などを有する。
【００５２】
大径の半球形ドーム状体１０Ｂａには穴部が形成され、その穴部に小径の半球形ドーム状体１０Ｂｃを収容可能に構成されている。小径の半球形ドーム状体１０Ｂｃには小径の穴部が形成され、その穴部に小径の半球形体１０Ｂｅを収容可能に構成されている。大径の半球形ドーム状体１０Ｂｂには穴部が形成され、その穴部に小径の半球形ドーム状体１０Ｂｄを収容可能に構成されている。小径の半球形ドーム状体１０Ｂｄには小径の穴部が形成され、その穴部に小径の半球形体１０Ｂｆを収容可能に構成されている。
【００５３】
球形状のファントム１０Ｂの各構成要素には、図５（ｃ）に示したように、放射線量検出部１２を収容する線量計収容体１０Ａｄを着脱自在に保持する複数の穴部１０Ｂｈを有し、複数のガラス線量計などの放射線量検出部１２を保持可能に構成されている。
【００５４】
上述したように、球形状のファントム１０Ｂは、複数のガラス線量計などの放射線量検出部１２を、容易に着脱自在に、３次元的に所定位置に所定間隔で配置可能に構成されている。
【００５５】
尚、ファントム１０Ｂは、上述した実施形態に限られるものではない。例えば、ファントム１０Ｂの各構成要素に、ガラス線量計などの放射線量検出部１２を直接着脱自在に保持する穴部を設け、その穴部に放射線量検出部１２を配置してもよい。
【００５６】
＜巻回型のファントム＞
図６は巻回型のファントム１０Ｃの一例を示す図である。詳細には、図６（ａ）はそのファントム１０Ｃの全体斜視図、図６（ｂ）はそのファントム１０Ｃの展開した状態の一例を示す図である。
【００５７】
図６（ａ）、図６（ｂ）に示したように、巻回型のファントム１０Ｃは、変形自在な長尺の直方体（板形状）の弾性体を巻回して構成されている。また、図６（ｂ）に示したように、展開した状態のファントム１０Ｃは、放射線量検出部１２を収容する線量計収容体１０Ａｄを着脱自在に保持する複数の穴部１０Ｃｈを有し、ガラス線量計などの放射線量検出部１２を保持可能に構成されている。この複数の穴部１０Ｃｈに放射線量検出部１２を収容した後、巻回することで、図６（ａ）に示したように、略円柱形状のファントム１０Ｃとすることができる。
【００５８】
上述したように、巻回型のファントム１０Ｃは、複数のガラス線量計などの放射線量検出部１２を、容易に着脱自在に、３次元的に所定位置に所定間隔で配置可能に構成されている。
尚、ファントム１０Ｃは、上述した実施形態に限られるものではない。例えば、展開したファントム１０Ｃに、ガラス線量計などの放射線量検出部１２を直接着脱自在に保持する穴部を設け、その穴部に放射線量検出部１２を配置した後、巻回してもよい。
【００５９】
＜２次元放射線量検出器を採用したファントム＞
図７は放射線量検出部１２として２次元放射線量検出器１２Ｄ（イメージングデバイス）を採用したファントム１０Ｄの一例を示す図である。詳細には、図７（ａ）はファントム１０Ｄの弾性体と２次元放射線量検出器１２Ｄを分離した状態の一例を示す側面断面図、（ｂ）は組立てた状態の一例を示す側面断面図である。
【００６０】
図７（ａ）、図７（ｂ）に示したファントム１０Ｄは、円柱形状や直方体などの任意の形状の弾性体で構成された本体部１０Ｄａに、板状の２次元放射線量検出器１２Ｄを着脱自在に配置する複数の有底または無底の穴部１０Ｄｈ（スリット）を有し、各穴部１０Ｄｈに２次元放射線量検出器１２Ｄを配置可能に構成されている。詳細には、ファントム１０Ｄは、複数の２次元放射線量検出器１２Ｄを所定の間隔で配置可能に構成されている。
【００６１】
２次元放射線量検出器１２Ｄは、線量蓄積型（Ｘ線エネルギー蓄積型）である。２次元放射線量検出器は、例えば、光輝尽性蛍光体（ＢａＦＸ：Ｅｕ2+（Ｘ＝Ｂｒ、Ｉ）など）を樹脂製の板部材に塗布して形成されている。
この光輝尽性蛍光体は、放射線の照射により、結晶内の電子が準安定状態に励起される。この状態で、所定の波長の光を光輝尽性蛍光体に照射すると、準安定状態に励起された電子が基底状態に遷移し、輝尽性蛍光を発光する。
【００６２】
ファントム線量検出装置３０（図１参照）の線量検出部３１および位置特定部３２は、２次元放射線量検出器１２Ｄに所定の波長の光を照射して、２次元放射線量検出器１２Ｄからの輝尽性蛍光を受光部により検出スキャンすることにより、２次元の放射線量分布を得ることができる。ファントム線量検出装置３０は、この検出結果を制御装置に出力する。
【００６３】
光輝尽性蛍光体を塗布した２次元放射線量検出器１２Ｄに、消去用の所定の波長の光を均一に照射することにより、残像を消去することができ、再度、２次元放射線量検出器１２Ｄを使用することができる。
【００６４】
尚、２次元放射線量検出器は上記形態に限られるものではなく、例えば、ラジオグラフィックフィルム、ラジオクロミックフィルム（放射線有感色素線量計フィルム）、板状ガラス線量計などの何れか又はそれらの組合せであってもよい。
ラジオグラフィックフィルムは、放射線に対する反応原理としてハロゲン化銀の還元作用を利用している。このラジオグラフィックフィルムに対して現像液などを用いて現像処理を行うことにより、２次元放射線量分布を得ることができる。
ラジオクロミックフィルムは、例えば、放射線照射により発色する物質を添加した樹脂製フィルムであり、放射線に対する反応原理として放射線感受性単量体のラジオクロミック反応を利用している。ラジオクロミックフィルムは、現像液による現像処理が不要であり、ＲＧＢカラースキャナ、デンシトメーター（densitometer、光学濃度計）、カメラなどで２次元放射線量分布を読み取ることができる。
【００６５】
＜ゲル状体を有するファントム＞
図８はゲル状体を有するファントム１０Ｅの一例を示す概念図である。
ファントム１０Ｅは、本体部１０Ｅａに変形可能な弾性体１１Ｅ（１１）を有し、その内部に、放射線量検出部１２として、ポリマーゲルなどのゲル状体１２Ｅ（ゲル状線量計）を備える。
【００６６】
ポリマーゲルは、線量蓄積型（Ｘ線エネルギー蓄積型）である。詳細には、ポリマーゲルは、放射線などを吸収した場合、局所的に重合反応を生じることにより、放射線吸収線量に応じてサブミクロンサイズのポリマー微粒子を生成する。このポリマー微粒子は可視光を散乱し、白く濁った固まりとしてゲル内に閉じ込められる。
【００６７】
図８には、放射線がゲル状体を有するファントム１０Ｅに照射され、放射線吸収線量に応じて変質した部分（白濁した部分）１０Ｅｂを示している。この場合、ファントム線量検出装置３０（図１参照）として、ＭＲＩ（Magnetic resonance imaging）装置や３次元光学スキャナなどを採用するにより、ファントム線量検出装置３０は、ファントム１０Ｅの変質した部分（白濁した部分）の位置と濃度などを検出し、この検出結果を制御装置に出力する。制御装置は、この検出結果に基づいて放射線吸収線量の３次元分布を生成することができる。
【００６８】
図９は制御装置の制御部５１の機能ブロックの一例を示す図である。
制御部５１は、プログラムを実行することにより、本発明の機能をコンピュータとしての制御装置に実現する。本実施形態では、制御部５１は、ＣＴ装置駆動制御部５１１、ＣＴ画像生成処理部５１２、画像変形処理部５１３（ＤＩＲ）、治療計画作成処理部５１４（線量分布作成処理部）、ファントム変形設定処理部５１５、ファントム内線量特定処理部５１６、ファントム内軽量位置特定処理部５１７、合算線量分布生成処理部５１８、画像変形処理に関する検証処理部５１９、などを有する。
【００６９】
ＣＴ装置駆動制御部５１１は、ＣＴ装置に関する各構成要素に対する制御を行う。詳細には、ＣＴ装置駆動制御部５１１は、ＣＴ装置のＸ線発生部、Ｘ線検出部、回転駆動部、回転位置検出部などの各構成要素を統括的に制御する。
【００７０】
ＣＴ画像生成処理部５１２は、Ｘ線検出部からの信号や回転位置検出部などからの位置情報を示す信号などに基づいて、画像再構成処理などによりＣＴ画像を生成する。
【００７１】
画像変形処理部５１３は、ＤＩＲ（Deformable Image Registration）などの画像変形処理によりＣＴ画像を変形する処理を行う。詳細には、この画像変形処理（ＤＩＲ）は、例えば、基準となるＣＴ画像の任意の部位に合わせるように、変形元のＣＴ画像を変形させることができる。
また、この画像変形処理（ＤＩＲ）は、ＣＴ画像と線量分布（治療計画）を重ね合わせた画像を変形する処理を行う。こうすることにより、異なるＣＴ画像で計画された線量分布（治療計画）の合算を行うことができる。
詳細には、この画像変形処理（ＤＩＲ）は、例えば、ＣＴ画像に対して複数の変形制御点を格子状（メッシュ状）に規定し、この変形制御点の変位量や変位方向を設定し、その設定された変形制御点の変位量や変位方向に基づいて、ＣＴ画像の各領域を変形させる処理を行う。
この画像変形処理（ＤＩＲ）は、例えば、ＣＴ画像に対して複数の変形制御点を格子状（メッシュ状）に規定し、その変形制御点における二つの画像の一致度を類似度を用いて評価し、その類似度が高くなるように最適化アルゴリズムを用いて最適化を繰り返す。その最適化処理により設定された変形制御点における最適な変位量や変位方向を算出し、変形制御点で囲まれる領域の各画素の位置を変位させる等の変形処理を行う。
画像変形処理（ＤＩＲ）の画像変形パラメータとしては、各変形制御点間の間隔や位置、類似度（差分自乗和、正規化相互相関法、相互情報量等）、最適化アルゴリズム(Gradient descent,Downhill simplex等) などを挙げることができる。
また、この画像変形処理（ＤＩＲ）は、ＣＴ画像の関心領域（例えば、擬似病巣等の領域）の各変形制御点間の間隔を、関心領域以外の各変形制御点間の間隔よりも短く設定することで、関心領域に関して高い変形精度となるように処理を行っている。
【００７２】
治療計画作成処理部５１４（線量分布作成処理部）は、医者などのユーザにより入力された放射線治療の方針などの情報に基づいて、放射線治療装置４０による放射線照射位置（照射領域）と放射線照射線量を規定する線量分布（治療計画）を生成する。
また、治療計画作成処理部５１４（線量分布作成処理部）は、ＣＴ画像上に線量分布（治療計画）を重畳させた画像を生成してもよい。
【００７３】
ファントム変形設定処理部５１５は、医者などのユーザにより入力された情報に基づいて、ファントムの変形量などを設定する処理を行う。例えば、ピストン駆動部によりピストンを駆動してファントムの弾性体等を変形させる場合、ファントム変形設定処理部５１５は、ピストンの変位量などを設定する。また、ファントム変形設定処理部５１５は、設定された変位量に基づいて、ピストン駆動部によりピストンを駆動する。
【００７４】
ファントム内線量特定処理部５１６は、ファントム線量検出装置３０の線量検出部３１を介して、ファントム内に収容されていた放射線量検出部１２で検出された放射線量を特定する処理を行う。
【００７５】
ファントム内軽量位置特定処理部５１７は、ファントム線量検出装置３０の位置特定部３２を介して、ファントム内に収容されていた放射線量検出部１２の位置を特定する処理を行う。
【００７６】
ファントム内軽量位置特定処理部５１７は、ファントム線量検出装置３０の位置特定部３２を介して、ファントム内に収容されていた放射線量検出部１２の位置を特定する。上述したように、放射線量検出部１２の位置情報の特定方法としては、ファントム１０の放射線量検出部１２の位置を光学的に特定する、ＣＴ装置２０のＣＴ画像により特定する、弾性体１１の予め規定した位置に放射線量検出部１２を配置し、その配置された位置とする、などを挙げることができる。
【００７７】
合算線量分布生成処理部５１８は、ファントム変形前のＣＴ画像等に基づいて生成された線量分布を画像変形させ、ファントム変形後のＣＴ画像等に基づいて生成された線量分布を合算して、合算線量分布を生成する処理を行う。
また、合算線量分布生成処理部５１８は、ファントム変形前の線量分布（放射線照射による実測値）と、ファントム変形後の線量分布（放射線照射による実測値）を合算して、放射線照射による実測値に基づいた合算線量分布を生成する処理を行う。
【００７８】
画像変形処理に関する検証処理部５１９は、動体可変型ファントムの変形前後の線量分布（実測値）と、前記動体可変型ファントムの画像変形処理による画像変形前後の線量分布（計算値）と、に基づいて算出した誤差に基づいて、画像変形処理に関する検証処理を行う。
【００７９】
また、画像変形処理に関する検証処理部５１９は、比較処理部５１９ａを有する。
比較処理部は、動体可変型ファントムの変形前後の線量分布（実測値）と、前記動体可変型ファントムの画像変形処理による画像変形前後の線量分布（計算値）と、を比較する処理を行う。
【００８０】
また、画像変形処理に関する検証処理部５１９は、その誤差が規定以内の場合、画像変形処理部５１３（ＤＩＲ）の画像変形処理が高精度であると判別し、誤差が規定値より大きい場合、画像変形処理部５１３（ＤＩＲ）の画像変形処理の精度が低いと判別する。
画像変形処理部５１３（ＤＩＲ）の画像変形処理の精度が低いと判別した場合、例えば、画像変形処理に関する検証処理部５１９は、画像変形処理部５１３（ＤＩＲ）の画像変形処理に関する変形パラメータを調整する処理を行うことで、画像変形処理の精度を向上させる。
【００８１】
次に、ファントムのＣＴ画像および線量分布の一例を説明する。
図１０はファントムのＣＴ画像および線量分布の一例を示す図である。詳細には、図１０（ａ）は膨らんだ状態である変形前のファントムのＣＴ画像および線量分布Ｐａ（治療計画）の一例を示す図であり、図１０（ｂ）は収縮した状態であり変形後のファントムのＣＴ画像および線量分布の一例を示す図である。
【００８２】
制御装置は、膨らんだ状態である変形前のファントムに対してＣＴ装置によりＣＴスキャンを行い、図１０（ａ）に示したＣＴ画像を生成し、そのＣＴ画像に基づいて、線量分布Ｐａ（治療計画）を生成し、線量分布Ｐａ（治療計画）をそのＣＴ画像に重ね合わせる処理を行う。図１０（ａ）の略中央黒部分にファントムの弾性体等を示し、擬似病変（擬似病巣）付近に同心円形状の線量分布Ｐａ（治療計画）を示し、図の下部にピストンを示し、図の左右両端部にシリンダ（ケース）を示し、図の上部に通気孔を有する弾性体保持部を示し、弾性体とシリンダの間に水などの流体を示している。
ている。同心円形状の線量分布Ｐａ（治療計画）において、中心部分ほど放射線量が高いことを示す。
【００８３】
制御装置は、収縮した状態であり変形後のファントムに対してＣＴ装置によりＣＴスキャンを行い、図１０（ｂ）に示したＣＴ画像を生成し、そのＣＴ画像に基づいて、線量分布Ｐｂ（治療計画）を生成し、線量分布Ｐｂ（治療計画）をそのＣＴ画像に重ね合わせる処理を行う。この場合、ピストンを図１０（ｂ）の上方へ変位させたことにより、ファントムの弾性体が収縮して変形していることを示している。また、擬似病変（擬似病巣）の位置がずれ、同心円形状の線量分布Ｐａ（治療計画）の位置がずれていることを示している。
【００８４】
図１１はファントムのＣＴ画像および線量分布の一例を示す図である。詳細には、図１１（ａ）は図１０（ａ）に示した線量分布Ｐａを変形した画像と線量分布の一例を示す図であり、図１１（ｂ）はファントムのＣＴ画像と合算線量分布の一例を示す図である。
【００８５】
制御装置は、図１０（ａ）に示したＣＴ画像および線量分布Ｐａに対して、図１０（ｂ）に示したＣＴ画像を基準として弾性体の形状や位置を合わせるように画像変形処理（ＤＩＲ）を施し、図１１（ａ）に示したように、画像変形処理後のＣＴ画像（変形画像）および線量分布を生成する。
次に、制御装置は、その図１１（ａ）にした画像変形処理後のＣＴ画像（変形画像）および線量分布と、図１０（ｂ）に示したＣＴ画像および線量分布に基づいて、各線量分布を合算処理して合算線量分布を生成する処理を行う。また、制御装置は、合算線量分布とＣＴ画像とを重ね合わせた画像を生成する（図１１（ｂ）参照）。
【００８６】
図１２はファントムの膨らんだ状態と収縮した状態のＣＴ画像の差の一例を示す図である。詳細には、図１２の上図に横断面を示し、左下図に冠状面を示し、右下図に矢状面を示す。
図１２において、略中心部の黒部分がファントムの収縮した状態の弾性体などに対応し、その黒部分を取り囲むグレー部分がファントムの膨らんだ状態の弾性体などに対応し、黒部分の内側の白部分が各線量分布（治療計画）に対応する。
図１２に示したように、ファントムの変形前後の各ＣＴ画像、各線量分布を担持順に重ね合わせるとずれが生じることがわかる。
【００８７】
図１３はファントムの膨らんだ状態のＣＴ画像を画像変形処理（ＤＩＲ）により画像変形させた画像（変形処理画像）と、ファントムの収縮した状態のＣＴ画像の差の一例を示す図である。詳細には、図１３の上図に横断面を示し、左下図に冠状面を示し、右下図に矢状面を示す。
図１３に示すように、基準となるファントムの収縮した状態のＣＴ画像に合うように、画像変形処理（ＤＩＲ）により、ファントムの膨らんだ状態のＣＴ画像を高精度に画像変形していることがわかる。また、線量分布も同様に高精度に画像変形処理されていることがわかる。
【００８８】
＜放射線治療システムの動作の一例＞
放射線治療システムの動作の一例を上記図面、および、図１４〜図１７に示した図面を参照しながら説明する。図１４〜図１７は、放射線治療システムの動作の一例を説明するための図である。本実施形態では、例えば、肺がんの治療において、治療の途中で患者の体重が減少して、患者の体形が変化した場合を説明する。
【００８９】
ステップＳ１１において、医者などが患者に対して種々の検査を行い、その検査結果を基に診断し、放射線治療などの治療の方針を決定する。
【００９０】
ステップＳ１２において、治療前の患者の体重を測定した結果、Ｍａ［ｋｇ］であった。
【００９１】
ステップＳ１３において、制御装置５０の制御部５１は、ＣＴ装置２０により、その患者の治療開始前のＣＴスキャンを行い、得られたＣＴ画像を記憶部に記憶する。
【００９２】
ステップＳ１４において、治療中の患者の体重を測定した結果、Ｍｂ［ｋｇ］であった。本実施形態では、Ｍａ＞Ｍｂであり、体重が減少している。
【００９３】
ステップＳ１５において、制御装置５０の制御部５１は、ＣＴ装置２０により、治療中の患者のＣＴスキャンを行い、得られたＣＴ画像を記憶部に記憶する。
【００９４】
ステップＳ１６において、制御部５１は、患者の治療開始前のＣＴ画像と治療途中のＣＴ画像を用いて、画像変形処理（ＤＩＲ）により変形画像を生成する。
【００９５】
ステップＳ１７において、制御部５１は、その画像変形処理（ＤＩＲ）の結果により、患者の体型の変化量、病巣（腫瘍）の変化量、などを算出する。
【００９６】
次に、ステップＳ２１において、動体可変型ファントム１０の特性を設定する。詳細には、ファントム１０の弾性体１１の密度や弾性率などを、患者の治療部位、例えば、肺、頭頸部、骨盤部などの解剖情報に近い弾性体の密度や弾性率に設定する。また、ファントム１０の弾性体１１に所定のＸ線吸収係数となる模擬腫瘍（模擬病巣）を配置する。
そして、ファントム１０に放射線量検出部１２などを配置し、ＣＴ装置２０の台部２５（寝台）上にファントム１０などを配置する。
【００９７】
ステップＳ２２において、制御部５１は、ステップＳ１７で算出した患者の体型の変化量、病巣（腫瘍）の変化量などに最も近くなるように、ファントムを変形させるピストンの移動量を設定する（ファントム変形の動き設定）。
【００９８】
ステップＳ２３において、制御部５１は、治療開始前に撮像した状態（Ｓ１３）を想定し、ファントム１０が膨らんだ状態（変形前）となるように、ピストン駆動部１７５を駆動制御して、ファントム１０のピストン１６の位置を調整する。
【００９９】
ステップＳ２４において、制御部５１は、ファントムが膨らんだ状態（変形前）で、ＣＴ装置２０によりＣＴスキャンを行い、得られたＣＴ画像を記憶部に記憶する（図１０（ａ）参照）。
【０１００】
ステップＳ２５において、制御部５１は、ステップＳ２４で得られたＣＴ画像を用いて、ＣＴ画像の模擬腫瘍をターゲットとして該当する患者の治療計画（線量分布）と同様に治療計画（線量分布Ｐａ）を作成し、記憶部に記憶する（図１０（ａ）参照）。
【０１０１】
ステップＳ２６において、治療途中に体型変化があり、再度、治療計画用ＣＴを撮影した状態を想定し（ステップＳ１５）、制御部５１は、ファントム１０が収縮した状態となるように、ピストン駆動部１７５を駆動制御し、ステップＳ２２で設定した移動量だけ、ファントム１０のピストン１６の位置を調整する。ファントム１０の弾性体や模擬腫瘍は、ピストンによる力で変形する。
【０１０２】
ステップＳ２７において、制御部５１は、ファントムが収縮した状態（変形後）で、ＣＴ装置２０によりＣＴスキャンを行い、得られたＣＴ画像を記憶部に記憶する（図１０（ｂ）参照）。
【０１０３】
ステップＳ２８において、制御部５１は、ステップＳ２７で得られたＣＴ画像を用いて、ＣＴ画像の模擬腫瘍をターゲットとして治療計画（線量分布Ｐｂ）を作成し、記憶部に記憶する（図１０（ｂ）参照）。
【０１０４】
ステップＳ３１において、制御部５１は、２つの線量分布Ｐａ、Ｐｂの合算を算出するために、ファントム変形前後の２つのＣＴ画像と線量分布に基づいて、ファントム変形後のＣＴ画像を基準としてその各部位に合うように、変形前のＣＴ画像およびそのＣＴ画像で作成された線量分布Ｐａを（図１０（ａ）参照）を画像変形処理（ＤＩＲ）により画像変形し、線量分布Ｐａを画像変形した線量分布（画像）、および画像変形したＣＴ画像を生成し（ステップＳ３２）、記憶部に記憶する（図１１（ａ）参照）。
【０１０５】
ステップＳ３３において、制御部５１は、ステップＳ２８で得られた線量分布と、ステップＳ３１で得られた線量分布を合算処理し、画像変形処理による計算値である合算線量分布（図１１（ｂ）参照）を生成して記憶部に記憶し、ＣＴ画像上の線量分布として表示部に表示する処理を行う（ステップＳ３４）。そして、制御部５１は、合算線量分布に基づいて、腫瘍への線量および周辺の正常組織の線量を評価する。
【０１０６】
上述したように、本発明の実施形態に係る動体可変型ファントム１０では、ファントム変形前と変形後のファントム内の線量分布を実際に測定することができる。その場合の放射線治療システムの動作の一例を説明する。
図１６に示したステップＳ２１、Ｓ２２、Ｓ２３、Ｓ２６は、上述した動作と同様であるので説明を省略する。
ステップＳ４０において、制御部５１は、ファントム１０が膨らんだ状態（変形前）で、放射線治療装置４０により、ステップＳ２４、Ｓ２５で得られたＣＴ画像および治療計画（線量分布Ｐａ）に基づいて、所定の放射線照射位置に所定の放射線照射線量でＸ線などの放射線を照射する処理を行う。
【０１０７】
ステップＳ４１において、制御部５１は、例えば、ファントムに設けられた放射線量検出部１２（線量計など）による放射線量を、ファントム線量検出装置３０の線量検出部３１により測定する。
【０１０８】
ステップＳ４２において、制御部５１は、ファントムに設けられた放射線量検出部１２（線量計など）の位置情報を、ファントム線量検出装置３０の位置特定部３２により特定する。
【０１０９】
ステップＳ４１と、ステップＳ４２の一具体例を説明する。
例えば、図３、図４、図５に示したファントムを用いた場合、多層構造のファントムの各構成要素を分解し、ファントム内に配置した線量蓄積型の複数の放射線量検出部１２を取り出し、ファントム線量検出装置３０の線量検出部３１により各放射線量検出部１２の線量を測定する。ファントム内の各放射線量検出部１２の位置情報は、ファントムの弾性体の所定位置に配置された放射線量検出部１２やＣＴ画像により特定することができる。ファントム線量検出装置３０の位置特定部３２は、この位置情報を取得する。
上記測定後、各放射線量検出部１２をファントムの弾性体の所定位置に配置する。
【０１１０】
また、例えば、図６に示したファントムを用いた場合、巻回したファントムを展開し、ファントム内に配置した線量蓄積型の複数の放射線量検出部１２を取り出し、ファントム線量検出装置３０の線量検出部３１により各放射線量検出部１２の線量を測定する。その測定後、各放射線量検出部１２をファントムの弾性体の所定位置に配置して、巻回した状態とする。位置情報については上記例と同様なので説明を省略する。
【０１１１】
図７に示したファントムを用いた場合、ファントムから放射線量検出部１２としての２次元放射線量検出器を取り出し、ファントム線量検出装置３０の線量検出部３１により各放射線量検出部１２の線量を測定する。２次元放射線量検出器により放射線吸収に関する２次元分布が得られるので、その分布やＣＴ画像などに基づいて位置情報を特定する。上記測定後、各２次元放射線量検出器１２Ｄをファントムの弾性体の所定位置に配置する。
【０１１２】
図８に示したゲル状線量計を有するファントムを用いた場合、ファントム線量検出装置３０（図１参照）としてＭＲＩ装置や３次元光学スキャナなどで、ゲル状体の変質した部分（白濁した部分）などを測定し、放射線吸収線量および３次元分布（位置情報）を得ることができる。
【０１１３】
ステップＳ４３において、制御部５１は、ステップＳ４０、Ｓ４２で得られた放射線量および位置情報に基づいて線量分布Ｑａを生成する。この場合、制御部５１は、必要に応じてステップＳ２４のＣＴ画像上に線量分布Ｑａを重ね合わせる処理を行う。
【０１１４】
ステップＳ４４において、制御部５１は、ファントム１０が収縮した状態（変形後）で、放射線治療装置４０により、ステップＳ２７、Ｓ２８で得られたＣＴ画像および治療計画（線量分布Ｐｂ）に基づいて、所定の放射線照射位置に所定の放射線照射線量でＸ線などの放射線を照射する処理を行う。
【０１１５】
ステップＳ４５において、制御部５１は、例えば、ファントムに設けられた放射線量検出部１２（線量計など）による放射線量を、ファントム線量検出装置３０の線量検出部３１により測定する。
【０１１６】
ステップＳ４６において、制御部５１は、ファントムに設けられた放射線量検出部１２（線量計など）の位置情報を、ファントム線量検出装置３０の位置特定部３２により特定する。
【０１１７】
ステップＳ４７において、制御部５１は、ステップＳ４５、Ｓ４６で得られた放射線量および位置情報に基づいて線量分布Ｑｂを生成する。この場合、制御部５１は、必要に応じてステップＳ２７のＣＴ画像上に線量分布Ｑｂを重ね合わせる処理を行う。
【０１１８】
尚、ステップＳ４０で線量蓄積型（Ｘ線エネルギー蓄積型）の放射線量検出部に、放射線照射した後、それを再利用して、ステップＳ４４で、その放射線量検出部に放射線を照射した場合、ステップＳ４７で合算線量分布を得ることができる。つまり、この場合、ステップＳ４８の合算処理を行うことなく、ステップＳ４７の線量分布を合算線量分布とする（ステップＳ４９）。
【０１１９】
例えば、ステップＳ４０で、線量蓄積型（Ｘ線エネルギー蓄積型）の放射線量検出部に放射線照射した後、それを再利用せずに、新しい放射線量検出部を採用した場合、ステップＳ４８の処理を行うことを要する。
ステップＳ４８において、制御部５１は、線量分布Ｑａと線量分布Ｑｂの合算処理を行い、合算線量分布を生成する（ステップＳ４９）。
【０１２０】
このステップＳ４９で得られた合算線量分布は、ファントム内の線量計などの放射線量検出部による計測値に基づいて生成されている。
【０１２１】
次に、ステップＳ５１において、制御部５１は、ステップＳ３４で得られた、画像変形処理による計算値に基づいて生成された合算線量分布と、ステップＳ４９で得られた、ファントム内の線量計などの放射線量検出部による計測値に基づいて生成された合算線量分布とを比較する処理を行うことで、画像変形処理の精度を検証する。
【０１２２】
ステップＳ５２において、制御部５１は、上記比較処理の結果に基づいて、画像変形処理の誤差を算出する処理を行う。
【０１２３】
ステップＳ５３において、制御部５１は、その誤差が規定値以内（例えば、５％以内）の場合、ステップＳ５６の処理に進み、それ以外の場合、ステップＳ５４の処理に進む。
【０１２４】
ステップＳ５４において、制御部５１は、誤差が大きいと判別し、画像変形処理の画像変形パラメータや変形に用いる関心領域を再度調整し、最適な画像変形パラメータと関心領域を規定する処理などを行う。
【０１２５】
ステップＳ５５において、制御部５１は、ステップＳ５４で決定した画像変形パラメータ（パラメータ）を設定し、ステップＳ３１の画像変形処理を再実行し、ステップＳ３２、Ｓ３４、Ｓ５１、Ｓ５２、Ｓ５３の処理を行う。
【０１２６】
ステップＳ５６において、制御部５１は、ステップＳ５２の誤差が規定値以内である場合に、画像変形処理部５１３（ＤＩＲ）の画像変形処理が高精度であると判定する。
【０１２７】
ステップＳ５７において、制御部５１は、ステップＳ３４で生成した治療計画（合算線量分布）に基づいて、患者への線量評価を行い、放射線治療装置４０などによる放射線治療を行う。
【０１２８】
以上、説明したように、本発明の実施形態に係る放射線照射装置用の動体可変型ファントムは、変形可能な弾性体１１と、弾性体１１に設けられた放射線量検出部１２と、を有する。
このため、変形前後のファントム内の線量分布（実測値）を高精度に検出可能な動体可変型ファントムを提供することができる。
また、変形前後のファントム内の放射線量検出部の位置を高精度に取得することができるファントムを提供することができる。
また、本実施形態では、変形前後のファントム内の放射線量検出部の位置および線量分布（実測値）を容易に取得可能なファントムを提供することができる。
このファントムを用いることで、画像変形処理によって算出された合算線量分布の精度評価を行うことができ、高精度な放射線治療計画を実現させることができる。
【０１２９】
また、本発明の実施形態に係る動体可変型ファントムの弾性体１１は、収縮自在な材料で形成されている。このため、弾性体を容易に変形可能なファントムを提供することができる。
【０１３０】
また、本発明の実施形態に係る動体可変型ファントムの弾性体は、分解および組立て自在な多層構造に構成されている（例えば、図３、図４、図５等参照）。
このため、多層構造の弾性体に複数の放射線量検出部を３次元的に容易に配置可能なファントムを提供することができる。
例えば、動体可変型ファントムに複数回、放射線を照射する場合であっても、放射線量検出部をファントムに容易に着脱することができる。
複数の小型の放射線量検出部を配置する構造であり、従来困難であった変形前と変形後の線量を容易に測定することができる。また、放射線量検出部を配置させた状態でも弾性体を変形させることができ、変形前と変形後の合算線量を検出器を装着した状態で測定することができる。
【０１３１】
また、本発明の実施形態に係る動体可変型ファントムの弾性体は、孔部を有する部材と該孔部に収容自在な部材で構成された入れ子構造となっている（例えば、図３、図４、図５等参照）。詳細には、入れ子構造の弾性体の孔部を有する部材は円筒形状または半球形状に形成されている。通常の放射線量検出器に使用する電離箱線量計（検出器にケーブルや電気回路が含まれている）では検出器が小型ではなく、またケーブル等もあるため検出器を装着した状態で弾性体を変形させることは困難であった。しかし、この弾性体は弾性体内に３次元的に複数の小型放射線量検出部を容易に配置可能であり、弾性体内の３次元線量分布を測定することが可能である。また、測定後、容易に放射線量検出部を取り外すことができる。入れ子構造は、円筒形状以外にも半球形状にも使用できるため、腫瘍を模擬した弾性体の３次元線量分布測定に利用できる。
【０１３２】
また、本発明の実施形態に係る動体可変型ファントムの弾性体は、ロール状に巻回自在に構成されている（図６参照）。この場合、弾性体を板状に展開した状態で、放射線量検出部を弾性体に容易に設置することができ、ロール状に巻回することで、３次元的に複数の放射線量検出部を容易に配置することができ、測定後、弾性体を板状に展開することで、容易に放射線量検出部を取り外すことができる。ロール状の場合も入れ子構造の場合と同様に、弾性体内の３次元的に複数の小型放射線検出部を容易に配置可能であり、弾性体内の３次元線量分布を測定することができる。さらにロール状の場合、より小型放射線検出部の設置および取り外しが容易で、効率よく測定を行うことができる。
【０１３３】
また、本発明の実施形態に係る動体可変型ファントムの弾性体は、放射線量検出部を着脱自在に保持する穴部を有する（例えば、図４、図５等参照）。
このため、ファントムの弾性体に放射線量検出部を容易に着脱することができる。
【０１３４】
また、本発明の実施形態では、放射線量検出部が線量蓄積型（被曝線量蓄積型）である。
このため、複数回の放射線照射を線量蓄積型の放射線量検出部により検出することで、ファントム内の合算線量分布を容易に得ることができるファントムを提供することができる。
【０１３５】
また、放射線量検出部として複数のガラス線量計を採用したファントムの場合、簡単な構成で、ファントム内の放射線量を高精度に検出することができる。
比較例として、通常の放射線量検出器に使用する電離箱線量計（検出器にケーブルや電気回路が含まれている）では検出器が小型ではなく、またケーブル等もあるため検出器を装着した状態で弾性体を変形させることは困難であった。
本発明の実施形態で用いたガラス線量計は、例えば、直径１．５ｍｍ、長さ１２ｍｍの棒状素子で線量計としては最も小型の線量計の一つであり、このような小型の線量計を複数使用することでファントム内部の３次元線量分布を高精度に測定できる。
【０１３６】
また、複数の小型のガラス線量計を変形可能な弾性体に設けたファントムの場合、ファントムが変形した場合であっても、ファントム内の放射線量を高精度に検出することができる。
【０１３７】
また、ファントムの変形と連動する樹脂製（アクリル製など）の微小球体（ビーズ）、ガラス線量計（ガラス線量素子）の位置変化の情報をＣＴ装置によるＣＴ画像でモニターし、ファントム変形前後の線量計により計測される線量値の合算によって、組織の線量分布を正確に評価することができる。
詳細には、ガラス線量計（ガラス線量素子）は密度が２．６１ｇ／ｃｍ3のガラスで作成されており、他の放射線検出器と異なり金属製の構造ではないため、ＣＴ画像上で金属アーチファクト（虚像）が発生しないので、ガラス線量計（ガラス線量素子）の位置を正確に特定することができる。
【０１３８】
また、本実施形態によれば、規定の放射線吸収係数の模擬腫瘍（模擬病巣）を有する模擬臓器として、本発明の実施形態に係る動体可変型ファントムを採用することで、治療対象の臓器に対して特異的な放射線治療の計画線量分布の算出することを可能である。
つまり、治療対象の臓器特異的な放射線治療の計画線量分布を容易に算出可能なファントムを提供することができる。
【０１３９】
また、弾性体に、放射線量検出部として複数の２次元放射線量検出器（イメージングプレート等）を設けたファントムの場合、詳細には、弾性体が所定方向に並んで配置された複数のスリット（複数の有底または無底の穴部）を有し、２次元放射線量検出器がスリットに着脱自在に配置される構造となっている（例えば、図７参照）。このスリット構造にすることにより、複数の２次元放射線量検出器で検出された２次元放射線量分布に基づいて、容易に３次元放射線量分布を算出することができる。また、スリット構造であるため２次元放射線検出器の取り外しが容易である。変形方向に垂直に２次元放射線量検出器を配置させることで、ファントムを変形させながら測定することが可能であり、ファントムの変形前後の線量を正確に測定することができる。
【０１４０】
また、変形可能な弾性体により保持されたゲル状線量計（ポリマーゲル線量計など）を有するファントムの場合、ファントムは弾性体内にゲル状線量計を保持する構造となっている。ゲル状線量計は３次元放射線量測定器であり、放射線照射後、ＭＲＩ装置や光学的ＣＴ装置を用いることで、容易にファントム中の３次元放射線量分布を検出することができる。ガラス線量計や２次元放射線測定器を複数使用して算出した３次元線量分布よりもより高精度にファントム内の３次元線量分布を測定することができる。また、ゲル状の構造を有しているため、ファントムを変形させた場合もその変形に合わせて線量計の形も変形させることができ、ファントムを変形させながら測定することができ、ファントムの変形前後の３次元線量分布を高精度に測定することができる。
【０１４１】
また、弾性体はスポンジ状に形成され、ゲル状線量計を吸収保持した構造としてもよい。例えば、上記のゲル状線量計を弾性体の中に保持させる方法では、ファントムの変形に対してゲル状線量計が上手く変形されない場合もある。一方、弾性体がスポンジ状に形成され、ゲル状線量計を吸収保持した構造では、ゲル状線量計をスポンジに吸収させることで、弾性体に変形に合わせてゲル状線量計が上手く変形されるため、弾性体を大きく変形させることができる。また、ポリマーゲルをスポンジに吸収保持した構造とすることで、運搬時など容易に取り扱い可能である。
【０１４２】
また、本発明の実施形態に係る動体可変型ファントムを用いた放射線治療計画作成方法は、放射線治療の段階に応じて、該動体可変型ファントムの弾性体の特性を設定する工程（Ｓ２１）と、動体可変型ファントムを用いて放射線量を検出し、検出結果に基づいて放射線照射位置と放射線照射線量を規定する放射線治療計画（線量分布）を作成する工程（Ｓ２２〜Ｓ４９）と、を有する。このため、高精度な放射線治療計画（線量分布）を作成可能な動体可変型ファントムを用いた放射線治療計画作成方法を提供することができる。
この場合、動体可変型ファントムを用いることにより、ＣＴ画像の画像変形処理に依らずに、放射線治療の計画線量分布を高精度に算出することができる。
【０１４３】
また、本発明の実施形態に係るプログラムは、コンピュータである制御装置に実行させるプログラムであって、動体可変型ファントムを用いて、弾性体の変形前および変形後の該ファントムのＣＴ画像による線量分布の一方に画像変形処理（ＤＩＲ）を施し他方に合算して生成した第１の合算線量分布（Ｓ３４参照）と、前記弾性体の変形前および変形後のファントムに設けられた放射線量検出部（照射線量検出部）による照射線量（放射線量）の検出結果に応じて生成した第２の合算線量分布（Ｓ４９参照）との誤差を算出するステップ（Ｓ５２）と、誤差に基づいて画像変形処理（ＤＩＲ）に関する変形パラメータを規定するステップ（Ｓ５４）とを有する。
このため、画像変形処理に関する画像変形パラメータを容易に高精度に調整可能なプログラムを提供することができる。
【０１４４】
また、放射線治療システムに用いられるＣＴ装置や放射線治療装置、制御装置（コンピュータ）などは、放射線治療毎にファントム等を用いて正常に動作するかチェックが行われる。本発明の実施形態に係る動体可変型ファントムを用いることにより、各装置が正常に動作するかのチェックや、各種パラメータの調整を高精度に短時間に容易に行うことができる。
【０１４５】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【０１４６】
例えば、上述した実施形態では、放射線治療システムは放射線治療装置とＣＴ装置と制御装置（コンピュータ）を備えていたが、この形態に限られるものではない。放射線治療システムは、互いに通信可能な複数の制御装置（コンピュータ）により、放射線治療装置やＣＴ装置などを統括的に制御してもよい。
【０１４７】
また、図２などに示した実施形態のファントムでは、筒形状のシリンダ１５内にスポンジ等の弾性体１１が配置され、シリンダ１５とピストン１６により囲まれた空間に、液体（水など）や気体などの流体１４が配置されていたが、この形態に限られるものではない。
ファントムは、例えば、図１８、図１９に示したように、アクリルなどの樹脂製の筒形状のシリンダ１５Ｂ（１５）内にスポンジ等の円柱形状の弾性体１１Ｂ（１１）が設けられ、シリンダ１５Ｂ（１５）内に水などの液体が設けられていない形態であってもよい。この弾性体には放射線量検出部が設けられている。
図１８，図１９に示した例では、ピストン１６が筒形状のシリンダ１５Ｂ（１５）の軸方向に一次元的に移動可能に設けられており、ピストン１６が円柱形状の弾性体１１Ｂ（１１）を軸方向に押圧した場合、弾性体１１Ｂ（１１）を圧縮可能に構成されている（図１９（ｂ）参照）。その状態から、図１９（ａ）に示したように、ピストン１６が初期位置に戻った場合、弾性体１１Ｂは元の状態に復元する。
【０１４８】
詳細には、このファントム１０は、ピストン駆動部１７５の駆動モータ１７５Ｍにより可動部１７５Ｋが筒状部の軸方向に移動することで、ピストンロッド１７及びピストン１６を押圧可能に構成されている。また、ファントムには、上下動部材１７２（ステージ）が上下動自在に配置されており、上下動部材１７２が可動部１７５Ｋとリンク１７４Ｌにより接続されている。つまり、上下動部材１７２（ステージ）が、可動部１７５Ｋ、ピストンロッド１７、ピストン１６の動きに連動して上下動するように構成されている。また、本実施形態のファントムは、上下動部材１７２の上端部１７２ａの位置を撮像部や位置センサなどで検出することで、上下動部材１７２の上下動の変位により、ピストン１６の変位や位置などを検出可能に構成されている。
【０１４９】
図１８、図１９に示したように、ピストン１６の軸方向の移動により、弾性体１１Ｂ（１１）が軸方向に圧縮又は伸張し、軸方向に対して直交する方向の動きが筒状のシリンダ１５Ｂ（１５）の内壁により規制されているので、弾性体１１Ｂ（１１）の変形状態又は元の状態の再現性が高い。
つまり、コンピュータによる画像変形処理の精度の検証などに、この高い再現性を有するファントムを用いることで、信頼性の高い検証などを行うことができる。
【０１５０】
また、ファントム１０は、上述した実施形態に限られるものではなく、例えば、図２０に示したように、複数の押圧機構により変形自在に構成されていてもよい。
詳細には、図２０に示した例では、筒状のシリンダ１５Ｂ（１５）内に、円柱形状の弾性体１１Ｂ（１１）が配置され、その軸方向の両端部に、軸方向に押圧可能なピストン１６Ａ、１６Ｂが設けられていてもよい。このピストン１６Ａ、１６Ｂは、ピストンロッドやピストン駆動部（不図示）により軸方向に移動可能に構成されている。
【０１５１】
また、図２０に示した例では、ピストン１６Ａ、１６Ｂがそれぞれ複数の小さなピストン１６Ａａ、１６Ｂａにより構成されており、制御装置（コンピュータ）の制御により、所定のピストン１６Ａａ、１６Ｂａにより、弾性体１１Ｂ（１１）の両端を局所的に押圧可能に構成されている。つまり、弾性体１１Ｂ（１１）は２次元的に変形可能に構成されており、コンピュータによる画像変形処理の検証などを、高精度に行うことができる。
【０１５２】
また、ファントム１０は、例えば、図２１に示したように、シリンダ１５Ｂ（１５）の軸方向および直交方向に複数の押圧機構を有していてもよい。詳細には、図２１に示した例では、弾性体１１Ｂ（１１）の両端を局所的に軸方向に押圧可能な複数のピストン１６Ａａ，１６Ｂａ、ピストンロッド１７（ロッド）、ピストン駆動部１７５を有し、筒状のシリンダ１５Ｂ（１５）の側面には、弾性体１１Ｂ（１１）の側面を軸方向に対して直交する方向に押圧可能な複数の可動部１７７が配置されている。この可動部１７７は、駆動部１７８や接続部１７９により移動可能に構成されている。可動部１７７の駆動方式としては、例えば、空気圧駆動方式、水圧駆動方式、リンク機構による駆動方式、などの所定の駆動方式を採用することができる。Ｘ線発生部２１からＸ線検出部２２へ向けて放射されたＸ線の吸収の影響を低減するために、筒状のシリンダ１５Ｂ（１５）の側面側には、Ｘ線吸収率の低い材料で形成された可動部１７７を設け、駆動部１７８などをＸ線照射領域外に配置することが好ましい。また、リンク機構を採用した場合には、リンク機構をアクリルなどの樹脂材料により形成することが好ましい。また、Ｘ線吸収率の低い水や気体などを用いた駆動方式を採用してもよい。
【符号の説明】
【０１５３】
１０…ファントム（動体可変型ファントム）
１１…弾性体
１２…放射線量検出部（照射線量検出部）
１３…バルーン
１４…流体（液体、気体など）
１５…シリンダ（ケース）
１６…ピストン
１７…ピストンロッド
１８…弾性体保持部
１９…蓋部
２０…ＣＴ装置
３０…ファントム線量検出装置
３１…線量検出部
３２…位置特定部
４０…放射線治療装置
５０…制御装置（コンピュータ）
１００…放射線治療システム
【図１】
2016148269.tif 000003
【図２】
2016148269.tif 000004
【図３】
2016148269.tif 000005
【図４】
2016148269.tif 000006
【図５】
2016148269.tif 000007
【図６】
2016148269.tif 000008
【図７】
2016148269.tif 000009
【図８】
2016148269.tif 000010
【図９】
2016148269.tif 000011
【図１０】
2016148269.tif 000012
【図１１】
2016148269.tif 000013
【図１２】
2016148269.tif 000014
【図１３】
2016148269.tif 000015
【図１４】
2016148269.tif 000016
【図１５】
2016148269.tif 000017
【図１６】
2016148269.tif 000018
【図１７】
2016148269.tif 000019
【図１８】
2016148269.tif 000020
【図１９】
2016148269.tif 000021
【図２０】
2016148269.tif 000022
【図２１】
2016148269.tif 000023
【国際調査報告】
2016148269.tif 000024
2016148269.tif 000025
2016148269.tif 000026
2016148269.tif 000027